(57)【特許請求の範囲】
【請求項１】
溝が刻設された複数の板状体と、前記板状体に並列して一方向に略平行に配設される複数の小根太と、前記溝に配設される熱媒体流通管と、前記熱媒体流通管が、前記小根太に対して略直交方向に、前記板状体から他の前記板状体に渡って配設される配管渡り部、を覆う保護カバーと、を備え、
前記板状体の上面に均熱シートが接着され、
前記均熱シートの上面において、前記小根太及び前記保護カバーの両側に、ポリエチレンテレフタレートからなる基材の上面に非接着層を有する帯状の非接着シート、が接着され、
前記非接着シート、前記小根太、及び前記保護カバーの上面に、接着剤塗布用シートが接着される、床暖房パネルであって、
前記非接着シートが、さらに前記基材の下面に金属層を備えることを特徴とする、床暖房パネル。
【請求項２】
溝が刻設された複数の板状体と、前記板状体に並列して一方向に略平行に配設される複数の小根太と、前記溝に配設される熱媒体流通管と、前記熱媒体流通管が、前記小根太に対して略直交方向に、前記板状体から他の前記板状体に渡って配設される配管渡り部、を覆う保護カバーと、を備える、床暖房パネルであって、
前記保護カバーと隣接する前記板状体の保護カバー隣接部分の上面に、粘着材吸収シートが備えられるとともに、前記板状体及び前記粘着材吸収シートの上面に、均熱シートが接着されることを特徴とする、床暖房パネル。
【請求項３】
溝が刻設された複数の板状体と、前記板状体に並列して一方向に略平行に配設される複数の小根太と、前記溝に配設される熱媒体流通管と、前記熱媒体流通管が、前記小根太に対して略直交方向に、前記板状体から他の前記板状体に渡って配設される配管渡り部、を覆う保護カバーと、を備え、
前記板状体の上面に均熱シートが接着され、
前記均熱シートの上面において、前記小根太及び前記保護カバーの両側に、ポリエチレンテレフタレートからなる基材の上面に非接着層を有する帯状の非接着シート、が接着され、
前記非接着シート、前記小根太、及び前記保護カバーの上面に、接着剤塗布用シートが接着される、床暖房パネルであって、
前記保護カバーと隣接する前記板状体の保護カバー隣接部分において、前記板状体と前記均熱シートとの間に、粘着材吸収シートが介在し、
前記非接着シートが、さらに前記基材の下面に金属層を備えることを特徴とする、床暖房パネル。
【請求項４】
前記非接着シートに、前記接着剤塗布用シートの配設位置を一意的に決められる手段が備えられていることを特徴とする、請求項１又は３に記載の床暖房パネル。
【発明の詳細な説明】
【技術分野】
【０００１】
本発明は、上面に張り付けられた床仕上げ材の更新を容易に行え、且つ、該床仕上げ材が強く踏まれることによって生じる音の発生を抑制できる、床暖房パネルに関するものである。
【背景技術】
【０００２】
従来、温暖地方の寒冷期および寒冷地の住宅などの構造物における居住空間の居住性を向上させる目的で、多様な暖房技術が提案され、実用化されている。その大部分は、居住空間の床面に配置する床暖房システムである。床暖房システムの例としては、発泡合成樹脂製板状体や木製板状体などを基体としており、その一方の面に刻設された溝に熱媒体流通管を埋設し、これらの表面を、アルミニウム箔などの可撓性薄板（均熱シート）で被覆した構造の床暖房パネルを備えるものが挙げられる。これは、床暖房システムの床暖房パネルに配設された熱媒体流通管を流れる熱媒体によって、床暖房パネルの上面に貼り付けられた床仕上げ材が暖められ、その床仕上げ材の表面からの輻射熱により、室内を暖房するものである。
【０００３】
このような床暖房システムが備えられる構造物で、床仕上げ材に傷が付いた場合や、賃貸物件において借主が入れ替わった場合などに、床仕上げ材の張り替えを行うことがある。その際、まだ使用できる床暖房パネルを同時に交換すると余分なコストがかかるため、床暖房パネルに傷を付けずに床仕上げ材を剥がす技術がこれまでにいくつか提案されている。
【０００４】
床暖房パネルに傷を付けずに床仕上げ材を剥がす技術として具体的には、例えば、特許文献１には、加熱用長尺体が装備され且つ表面にシート状のパネル形成体用均熱体が止着されたパネル形成体と小根太とが並設されている床暖房パネルであって、パネル形成体用均熱体における小根太に隣接する小根太隣接部分に止着される状態で帯状の分離用非接着層が備えられ、小根太とそれに隣接する分離用非接着層とからなる小根太対応箇所に、小根太及び分離用非接着層を覆う状態で、且つ、パネル形成体用均熱体がパネル形成体に止着される止着力よりも弱い接着力にて分離用非接着層に貼着される状態で帯状の接着シートが備えられる床暖房パネル、が開示されている。
【特許文献１】特願２００７−０１０６０１
【発明の開示】
【発明が解決しようとする課題】
【０００５】
しかし、上記特許文献１に開示されている床暖房装置（床暖房パネル）では、分離用非接着層（多層シート）として、シリコーン樹脂を塗布したポリエチレンテレフタレートフィルムが用いられており、かかる多層シートの上面に床仕上げ材を敷設した場合、該床仕上げ材を上から強く踏むと音が鳴ることがあった。この音の発生原因について、以下に、より具体的に説明する。多層シートと多層シートの下面に配設されるパネル形成体用均熱体（均熱シート）は、それらの界面に空気が溜まることを防ぐために、界面全面が接着されているわけではない。床仕上げ材の上から強く踏まれると、多層シートと均熱シートの界面の接着層が存在しない部分において多層シートが変形する。そして、踏まれることで多層シートに加えられていた力がなくなると、多層シートは反発力が強いため元の状態に戻る。その際に音が発せられていた。また、小根太に対して略直交方向に、熱媒体流通管が配設される配管渡り部では、床仕上げ材の上から強く踏まれると、保護カバーが撓むことで熱媒体流通管が押さえられ、粘着性を有する均熱シートから熱媒体流通管が離れる際に音が発せられていた。
【０００６】
そこで、本発明は、上面に張り付けられた床仕上げ材の更新を容易に行え、且つ、床仕上げ材が強く踏まれることによって生じる音の発生を抑制できる、床暖房パネルを提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
第１の本発明は、溝（１）が刻設された複数の板状体（３）と、板状体に並列して一方向に略平行に配設される複数の小根太（４）と、溝に配設される熱媒体流通管（２）と、熱媒体流通管が、小根太に対して略直交方向に、板状体から他の板状体に渡って配設される配管渡り部（５）、を覆う保護カバー（７）と、を備え、板状体の上面に均熱シート（６）が接着され、均熱シートの上面において、小根太及び保護カバーの両側に、ポリエチレンテレフタレートからなる基材（１４）の上面に非接着層（１３）を有する帯状の非接着シート（８）、が接着され、非接着シート、小根太、及び保護カバーの上面に、接着剤塗布用シート（９）が接着される、床暖房パネル（１０）であって、非接着シートが、さらに基材の下面に金属層（１５）を備えることを特徴とする床暖房パネル、を提供することによって、上記課題を解決する。
【０００９】
第１の本発明及び以下の本発明（以下、単に「本発明」という。）において、「溝が刻設された板状体」とは、熱媒体を流通させる熱媒体流通管を配設させるための溝が刻設された板状の部材を意味する。板状体の形状や刻設される溝の形状は、特に限定されず、目的に応じて適当に選択される。また、「熱媒体流通管が、小根太に対して略直交方向に、板状体から他の板状体に渡って配設される」とは、板状体と板状体との間で小根太が配設されていない部分において、小根太に対して略直交方向に熱媒体流通管を配設させることで、該小根太の両側に備えられる板状体を熱媒体流通管で繋ぐように、熱媒体流通管が配設されることを意味する。したがって、「配管渡り部」は、小根太の長手方向の延長線上にある。また、「保護カバー」とは、配管渡り部において、熱媒体流通管がむき出しになるのを防ぐ部材を意味する。さらに、「均熱シート」とは、熱伝導性が高いシート状の部材であり、「板状体の上面には均熱シートが接着され」とは、複数の板状体の上面に、複数の板状体が一体化するように均熱シートが張られることを意味する。さらに、「非接着シート」とは、均熱シートと板状体とが接着される接着力より弱い接着力で、接着性シートと接着される、複層のシート状の部材を意味する。さらに、「非接着シート、小根太、及び保護カバーの上面に、接着剤塗布用シートが接着される」とは、小根太、及び保護カバーの上面側全体と、少なくとも非接着シートの一部を覆うように接着剤塗布用シートが接着され、該接着剤塗布用シートは、非接着シート下から露出している均熱シートには接着されないように備えられることを意味する。さらに、「接着剤塗布用シート」とは、床暖房パネルと床仕上げ材を接着させる際に、上面に接着剤が塗布されるシート状の部材を意味する。
【００１０】
第２の本発明は、溝（１）が刻設された複数の板状体（３）と、板状体に並列して一方向に略平行に配設される複数の小根太（４）と、溝に配設される熱媒体流通管（２）と、熱媒体流通管が、小根太に対して略直交方向に、板状体から他の板状体に渡って配設される配管渡り部（５）、を覆う保護カバー（７）と、を備える、床暖房パネル（１０）であって、保護カバーと隣接する板状体の保護カバー隣接部分（１１）の上面に、粘着材吸収シート（１２）が備えられるとともに、板状体及び粘着材吸収シートの上面に、均熱シート（６）が接着されることを特徴とする、床暖房パネル、を提供することによって、上記課題を解決する。
【００１１】
本発明において、「保護カバーと隣接する板状体の保護カバー隣接部分」とは、保護カバーに隣接する板状体のうち、該板状体の保護カバーに近い部分を意味する。また、「粘着材吸収シート」とは、均熱シートの裏面に塗布されている接着剤が熱媒体流通管に付着することを防げ、それ自体が柔らかくて踏まれても音がならないものであれば特に限定されない。粘着材吸収シートの具体例としては、不織布や紙などを挙げることができる。
【００１２】
第３の本発明は、溝（１）が刻設された複数の板状体（３）と、板状体に並列して一方向に略平行に配設される複数の小根太（４）と、溝に配設される熱媒体流通管（２）と、熱媒体流通管が、小根太に対して略直交方向に、板状体から他の板状体に渡って配設される配管渡り部（５）、を覆う保護カバー（７）と、を備え、板状体の上面に均熱シート（６）が接着され、均熱シートの上面において、小根太及び前記保護カバーの両側に、ポリエチレンテレフタレートからなる基材（１４）の上面に非接着層（１３）を有する帯状の非接着シート（８）、が接着され、非接着シート、小根太、及び保護カバーの上面に、接着剤塗布用シート（９）が接着される、床暖房パネル（１０）であって、保護カバーと隣接する板状体の保護カバー隣接部分（１１）において、板状体と均熱シートとの間に、粘着材吸収シート（１２）が介在し、非接着シートが、さらに基材の下面に金属層（１５）を備えることを特徴とする、床暖房パネル、を提供することによって、上記課題を解決する。
【００１３】
上記第１又は第３の本発明において、非接着シート（８）に、接着剤塗布用シート（９）の配設位置を一意的に決められる手段が備えられていることが好ましい。
【００１４】
ここに、「接着剤塗布用シートの配設位置を一意的に決められる手段」とは、接着剤塗布用シートを張る際に、張る位置を明確にできる手段であれば特に限定されない。具体的には、接着剤塗布用シートの端部を合わせるために、非接着シートに備えられた直線状の目印などを挙げることができる。
【発明の効果】
【００１５】
上記第１の本発明の床暖房パネルによれば、非接着シートが備えられることで上面に張り付けられた床仕上げ材の更新を容易に行え、また、非接着シートに金属層を備えることで非接着シートが形状を保持しやすくなり、床仕上げ材の上から強く踏まれても非接着シートが反発しないため、音の発生を抑制できる。したがって、第１の本発明によれば、上面に張り付けられた床仕上げ材の更新を容易に行え、且つ、該床仕上げ材が強く踏まれることによって生じる音の発生を抑制できる、床暖房パネルを提供することができる。
【００１６】
上記第２の本発明の床暖房パネルによれば、保護カバーと隣接する板状体の保護カバー隣接部分の上面に、粘着材吸収シートを介して均熱シートが接着されることで、保護カバー隣接部分において、熱媒体流通管と均熱シートが接着するのを防げる。したがって、床仕上げ材の上から強く踏まれた際に、保護カバーが撓んで熱媒体流通管が押さえられることで、粘着性を有する均熱シートから熱媒体流通管が離れる際に発せられていた音の発生を防止できる。
【００１７】
上記第３の本発明の床暖房パネルによれば、非接着シートが備えられることで上面に張り付けられた床仕上げ材の更新を容易に行え、また、非接着シートに金属層を備えることで非接着シートが形状を保持しやすくなり、床仕上げ材の上から強く踏まれても非接着シートが反発しないため、音の発生を抑制できる。また、保護カバーと隣接する板状体の保護カバー隣接部分の上面に、粘着材吸収シートを介して均熱シートが接着されることで、保護カバー隣接部分において、熱媒体流通管と均熱シートが接着するのを防げる。よって、床仕上げ材の上から強く踏まれた際に、保護カバーが撓んで熱媒体流通管が押さえられることで、粘着性を有する均熱シートから熱媒体流通管が離れる際に発せられていた音の発生を防止できる。したがって、第３の本発明によれば、上面に張り付けられた床仕上げ材の更新を容易に行え、且つ、該床仕上げ材が強く踏まれることによって生じる音の発生を抑制できる、床暖房パネルを提供することができる。
【００１８】
上記第１又は第３の本発明において、非接着シートに、接着剤塗布用シートの配設位置を一意的に決められる手段が備えられていることによって、床仕上げ材を更新する際に、非接着シートの上面に新たな接着剤塗布用シートを配設することが容易になる。
【００１９】
本発明のこのような作用及び利得は、次に説明する発明を実施するための最良の形態から明らかにされる。
【発明を実施するための最良の形態】
【００２０】
以下、本発明を図面に示す実施形態に基づき説明するが、以下に説明するものは本発明の実施形態の一例であって、本発明はその要旨を超えない限り以下の説明になんら限定されるものではない。
【００２１】
本発明の床暖房パネル１０は、熱媒体流通管２、板状体３、小根太４、及び保護カバー７、並びに、それらの上面側に積層される複数の部材を備えている。まず、熱媒体流通管２、板状体３、小根太４、及び保護カバー７について、図１を参照しつつ、以下に具体的に説明する。
【００２２】
図１は、本発明の床暖房パネル１０の上面の一部を概略的に示す図である。図１では、説明を容易にするため、熱媒体流通管２、板状体３、小根太４、及び保護カバー７が露出した状態を示している。
【００２３】
図１に示すように、本発明の床暖房パネル１０は、溝１が刻設された複数の板状体３と、板状体３に並列して一方向に略平行に配設される複数の小根太４と、を備えている。そして、溝１には熱媒体流通管２が配設され、熱媒体流通管２が小根太４に対して略直交方向に、板状体３から他の板状体３に渡って配設される配管渡り部５には、熱媒体流通管２を覆うように保護カバー７が備えられている。
【００２４】
（板状体３）
板状体３は、後述する熱媒体流通管２を配設させるための溝１が備えられている板状の部材であれば特に限定されないが、熱伝導性が低い発泡ポリスチレン等の発泡性樹脂からなる形態が好ましい。かかる形態とすることによって、断熱性を高められることに加えて、軽量化を図ることができる。
【００２５】
（熱媒体流通管２）
熱媒体流通管２は、床暖房パネル１０を備える床暖房システムの運転時に熱媒体（温水など）を流通させるための配管であって、熱媒体を流通させることが可能で、板状体３に形成されている溝１に配設できる程度の可撓性を有し、床暖房システムの運転中の環境に耐え得るものであれば特に限定されない。熱媒体流通管２の具体例としては、架橋ポリエチレンやポリブテン等の樹脂製の配管を挙げることができる。
【００２６】
（保護カバー７）
床暖房パネル１０の上面に張られた床仕上げ材１９（図６参照）を剥がす際には、小根太４が備えられる位置の上からバールなどを挿し込むので、配管渡り部５において熱媒体流通管２が傷つけられるのを防ぐため、保護カバー７が備えられている。保護カバー７の具体例としては、ポリプロピレン製のカバーなどを挙げることができる。
【００２７】
（小根太４）
小根太４は、床暖房パネル１０の強度を確保するためや、床暖房パネル１０を設置する際に、設置場所に床暖房パネル１０を固定するのに用いる釘を打つために備えられており、木質材からなる。床暖房パネル１０を設置する際には、小根太４に釘が打たれるため、小根太４の長手方向の延長線上において小根太４が存在しない部分（配管渡り部５、保護カバー７）の上面側には、そこが釘を打ってはならない場所であるということを明示する目印（不図示）を付すことが好ましい。
【００２８】
図１では省略したが、熱媒体流通管２、板状体３、小根太４、及び保護カバー７の上面側には、複数の部材が積層されている。熱媒体流通管２、板状体３、小根太４、及び保護カバー７の上面に積層される、それら複数の部材について、図２〜図５を参照しつつ、以下に具体的に説明する。
【００２９】
図２（ａ）〜（ｄ）は、図１中にIIで示した箇所での各部材の重なりを説明する図であって、紙面手前／奥方向が床暖房パネル１０の上下方向である。図２（ａ）は、板状体３、及び小根太４の上面に何も積層されていない状態を示している。図２（ｂ）は、板状体３の上面に均熱シート６が配設された状態を示している。図２（ｃ）は、均熱シート６の上面に、非接着シート８が配設された状態を示している。図２（ｄ）は、小根太４及び非接着シート８の上面に、接着剤塗布用シート９が配設された状態を示している。図３は、図１中にIII−III´で示した箇所での断面を概略的に示す図である。図３において、紙面上下方向が床暖房パネル１０の上下方向である。図４は、図１中にIＶ−IＶ´で示した箇所での断面の一部を概略的に示す図である。図４において、紙面上下方向が床暖房パネル１０の上下方向である。図５は、図３中にＶで示した箇所を概略的に示す拡大図である。図６（ａ）は、床暖房パネル１０の上面に床仕上げ材１９を配設する前の床暖房パネル１０の断面の一部を概略的に示す図である。図６（ｂ）は、床暖房パネル１０の上面に床仕上げ材１９を配設した後の床暖房パネル１０及び床仕上げ材１９の断面の一部を概略的に示す図である。図６（ａ）及び図６（ｂ）において、紙面上下方向が床暖房パネル１０の上下方向である。
【００３０】
（均熱シート６）
板状体３、及び小根太４の上面に何も積層されていない状態では、図２（ａ）に示すように、熱媒体流通管２、及び板状体３が露出した状態となるが、実際には、図２（ｂ）及び図３に示すように、板状体３の上面全体に均熱シート６が接着されている。ただし、保護カバー７と隣接する板状体３の保護カバー隣接部分１１（図１参照）では、熱媒体流通管２と均熱シート６の間に、粘着材吸収シート１２が配設されている（図４参照）。粘着材吸収シート１２については、後述する。
【００３１】
均熱シート６は、床暖房パネル１０に備えられる全ての板状体３の上面全体を覆うように配設されていることが好ましい。かかる形態とすることで、熱媒体流通管２を流通する熱媒体の熱を、床暖房パネル１０の上面に張られる床仕上げ材１９へと効率良く伝えることができる。本発明に用いることができる均熱シート６は、熱伝導性が高いシート状の部材であれば特に限定されない。均熱シート６の具体例としては、アルミニウムや銅などからなる金属箔の裏面（板状体３側の面）に接着材層を備えたものを挙げることができる。
【００３２】
（粘着材吸収シート１２）
上述した粘着材吸収シート１２は、均熱シート６の裏面に塗布されている接着剤が熱媒体流通管２に付着することを防げ、それ自体が柔らかくて踏まれても音がならないものであれば特に限定されない。本発明に用いることができる粘着材吸収シート１２の具体例としては、不織布や紙などを挙げることができる。粘着材吸収シート１２が熱媒体流通管２と均熱シート６の間に備えられることによって、熱媒体流通管２が均熱シート６と接着されることを防げるので、保護カバー７の上から力を加えられることによって、均熱シート６から熱媒体流通管２が離れる際に発せられていた音の発生を防止できる。より具体的に説明すると、床暖房パネル１０の上面に張られる床仕上げ材１９の上から保護カバー７付近を強く踏まれると、保護カバー７が撓むため、保護カバー７の下を通っている熱媒体流通管２も下方向へ押さえつけられることになる。このとき、熱媒体流通管２が均熱シート６と接着されていると、熱媒体流通管２が下方向に押さえられることで熱媒体流通管２が均熱シート６から離れ、その際に、均熱シート６の裏面に塗布されている接着剤が粘るため、音が発せられていた。床暖房パネル１０では、保護カバー隣接部分１１に粘着材吸収シート１２を備えることで熱媒体流通管２が均熱シート６と接着されることを防げるので、熱媒体流通管２が下方向に押さえられても音が発生しない。
【００３３】
（非接着シート８）
均熱シート６の上面には、図２（ｃ）及び図３に示すように、非接着シート８が接着されている。非接着シート８は、小根太４、及び保護カバー７の両側で、小根太４、及び保護カバー７に沿って、床暖房パネル１０の端から端まで配設されている。非接着シート８は、均熱シート６に対する接着力より、次に説明する接着剤塗布用シート９に対する接着力が弱くなるように接着されている。以下に、図５を用いて、非接着シート８についてより具体的に説明する。
【００３４】
図５に示すように、非接着シート８の裏面（均熱シート６側の面）には、接着剤が塗布された接着部１６、１６、…と接着剤が塗布されていない非接着部１７、１７、…が存在する。接着部１６、１６、…と非接着部１７、１７、…は、交互に縞状に設けられており、かかる形態とすることによって、非接着シート８と均熱シート６の間に空気溜りが形成されるのを防止している。この空気溜りは、床暖房パネル１０が設置された後に、床暖房パネル１０の上面に張られる床仕上げ材１９の上から踏まれた際に、音を発生させる原因となるものである。
【００３５】
しかし、従来の床暖房パネルでは、上述したように、非接着シートと均熱シートの間に接着部と非接着部を設けることによって、床仕上げ材の上から踏まれた際に、非接着部で非接着シートが変形することによって音が発生していた。これは、従来の非接着シートが、高反発性を有する基材と該基材の上面に形成された非接着層のみからなる構成であったため、非接着シートが高反発性を有することになり、その非接着シートが変形することで音を発していたと考えられる。
【００３６】
床暖房パネル１０では、非接着シート８は、図５に示すように、基材１４の上面に非接着層１３が形成されるとともに、下面に金属層１５が備えられる複層構造となっている。金属層１５が備えられることによって、非接着シート８に形状保持性が付加され、変形しても音を発することがなくなる。より具体的には、非接着シート８に上から押さえつける力が加えられることで非接着シート８が変形しても、金属層１５が備えられていることで、その変形後の形状を保持し、反発することがないため、音が発せられない。
【００３７】
基材１４は、ポリエチレンテレフタレートからなるシート状の部材であり、非接着層１３は、後述する接着剤塗布用シート９との接着力を弱め、非接着シート８から接着剤塗布用シート９を剥がし易くできるものであれば特に限定されない。非接着層１３の具体例としては、シリコーン樹脂からなる層などを挙げることができる。また、金属層１５の具体例としては、アルミニウムや銅などからなる金属箔を挙げることができる。
【００３８】
さらに、非接着シート８には、後述する接着剤塗布用シート９の配設位置を一意的に決められる手段が備えられていることが好ましい。かかる形態とすることによって、接着剤塗布用シート９をずらさずに張ることができ、接着剤塗布用シート９が均熱シート６に接着されることを防止できる。接着剤塗布用シート９の配設位置を一意的に決められる手段の具体例としては、接着剤塗布用シート９の端部を合わせるために、非接着シート８に備えられた直線状の目印などを挙げることができる。このような直線状の目印を設ける簡単な方法としては、例えば、非接着層１３をシリコーン樹脂などの透明な樹脂からなる層とする場合、基材１４に目印となる線を付した後、基材１４の上面に非接着層１３を形成させ、基材１４の下面に金属層１５を配設して、非接着シート８とする方法を挙げられる。
【００３９】
（接着剤塗布用シート９）
小根太４及び非接着シート８の上面には、図２（ｄ）及び図３に示すように、接着剤塗布用シート９が接着されている。接着剤塗布用シート９は、小根太４、及び保護カバー７に沿って、床暖房パネル１０の端から端まで配設されている。また、接着剤塗布用シート９の幅方向（小根太４の長手方向に対して直行する方向）の長さは、小根太４の幅方向長さと、小根太４の両側に備えられた非接着シート８の幅方向の長さの合計より短くなっており、接着剤塗布用シート９は、均熱シート６に触れないように配設されている。本発明に用いることができる接着剤塗布用シート９は、後述する接着剤１８を浸透させないシート状の部材であって、熱伝導性が高い部材であることが好ましい。かかる形態とすることで、熱媒体流通管２を流れる熱媒体の熱を、上面に張られた床仕上げ材１９に効率よく伝えることができる。接着剤塗布用シート９の具体例としては、アルミニウムや銅などからなる金属箔の裏面（非接着シート８側の面）に接着材層を備えたものを挙げることができる。
【００４０】
図６（ａ）に示すように、床暖房パネル１０の上面に床仕上げ材１９を配設する際には、接着剤塗布用シート９の上面に接着剤１８を塗布して、接着剤１８によって、床暖房パネル１０と床仕上げ材１９を接着する。床暖房パネル１０と床仕上げ材１９が接着されると、接着剤１８は、図６（ｂ）に示すように、接着剤塗布用シート９の上面のみで広がり、非接着シート８や均熱シート６には接着剤が付着しない。
【００４１】
床仕上げ材１９を更新する際には、上述したように、接着剤１８が接着剤塗布用シート９の上面のみで広がっており、非接着シート８と接着剤塗布用シート９の間の接着力は弱いため、床仕上げ材１９を剥がすと、接着剤塗布用シート９は床仕上げ材１９に接着されたままの状態で、接着剤塗布用シート９と非接着シート８が離れる。そのため、均熱シート６及び板状体３に損傷を与えずに床仕上げ材１９を剥がすことができる。
【００４２】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う床暖房パネルもまた本発明の技術的範囲に包含されるものとして理解されなければならない。
【図面の簡単な説明】
【００４３】
【図１】本発明の床暖房パネルの一部を概略的に示す上面図である。
【図２】図１中にIIで示した箇所での各部材の重なりを説明する図である。
【図３】図１中にIII−III´で示した箇所での断面を概略的に示す図である。
【図４】図１中にIＶ−IＶ´で示した箇所での断面の一部を概略的に示す図である。
【図５】図３中にＶで示した箇所を概略的に示す拡大図である。
【図６】（ａ）は、床暖房パネル１０の上面に床仕上げ材１９を配設する前の床暖房パネル１０の断面の一部を概略的に示す図である。（ｂ）は、床暖房パネル１０の上面に床仕上げ材１９を配設した後の床暖房パネル１０及び床仕上げ材１９の断面の一部を概略的に示す図である。
【符号の説明】
【００４４】
１  溝
２  熱媒体流通管
３  板状体
４  小根太
５  配管渡り部
６  均熱シート
７  保護カバー
８  非接着シート
９  接着剤塗布用シート
１０  床暖房パネル
１１  保護カバー隣接部分
１２  粘着材吸収シート
１３  非接着層
１４  基材
１５  金属層
１６  接着部
１７  非接着部
１８  接着剤
１９  床仕上げ材
【図１】
0005084462.tif 000002
【図２】
0005084462.tif 000003
【図３】
0005084462.tif 000004
【図４】
0005084462.tif 000005
【図５】
0005084462.tif 000006
【図６】
0005084462.tif 000007